(57)【要約】【課題】ナット脱落防止キャップを確実にかつ容易に取り外しできる間接活線工事用アダプタを提供する。【解決手段】アダプタ１０は、ブロック状のアダプタ本体１、係止手段２、及び差込金具３を備える。対向する一対の対向面１０ａ・１０ａの間にナット脱落防止キャップ９ｃを配置できる。アダプタ本体１は、把持爪７１ａ又は把持爪７１ｂが挿入可能な凹部１１ｈを底面に開口している。係止手段２、アダプタ本体１に取り付け、把持爪７１ａ又は把持爪７１ｂの把持面と反対面から把持爪７１ａ又は把持爪７１ｂを固定できる。差込金具３の他片は、爪片３２を有している。一対の爪片３２・３２は、アダプタ本体１の先端部で互いに対向するように配置されている。一対の把持腕７ａ・７ｂを閉じると、ナット９ｎとナット脱落防止キャップ９ｃの間に、一対の爪片３２・３２を差し込むことができる。【選択図】図１
2015012646.tif 000002
【特許請求の範囲】
【請求項１】
絶縁操作棒の先端部に設けた一対の開閉する湾曲した把持腕に取り付け、下方に延びるボルト部材に締結したナットの脱落を防止するナット脱落防止キャップを前記ボルト部材から取り外し可能な、一組で構成される間接活線工事用アダプタであって、
前記把持腕から遠心方向に突出する把持爪が挿入可能な凹部を底面に開口したブロック状のアダプタ本体と、
このアダプタ本体に取り付け、前記把持爪の把持面と反対面から当該把持爪を固定する係止手段と、
前記アダプタ本体の内部に一片を保持し、前記アダプタ本体の先端部で互いに対向し、前記ナットと前記ナット脱落防止キャップの間に差し込み可能な爪片を他片に有するＬ字状の差込金具と、を備え、
前記アダプタ本体は、
互いに対向して略密着可能に近接する対向面と、
この対向面に形成し、一対の前記把持腕を閉じた状態で、前記ナット脱落防止キャップが落下可能な半円弧状の第１切り欠き溝と、を有し、
前記爪片は、一対の前記把持腕を閉じた状態で、前記ボルト部材を逃げる半円弧状の第１逃げ部を先端縁に有している間接活線工事用アダプタ。
【請求項２】
前記アダプタ本体は、一対の前記把持腕を閉じた状態で、前記ナット脱落防止キャップを収容可能に底面が閉じた半円弧状の第２切り欠き溝を前記対向面に有している請求項１記載の間接活線工事用アダプタ。
【請求項３】
前記アダプタ本体は、前記ナットと前記ナット脱落防止キャップの間に前記爪片を差し込む力を付勢する付勢部材を内部に備えている請求項１又は２記載の間接活線工事用アダプタ。
【請求項４】
前記対向面を除き、前記アダプタ本体の先端部側を覆う絶縁性のキャップ部材を更に備え、
このキャップ部材は、一対の前記把持腕を閉じた状態で、前記ナットを逃げる半円弧状の第２逃げ部を上面壁に有している請求項１から３のいずれかに記載の間接活線工事用アダプタ。
【請求項５】
前記係止手段は、
先端部が前記凹部から突出できると共に、前記把持爪の把持面と反対面から当該把持爪に当接する係合ピンと、
前記アダプタ本体の内部に保持され、前記係合ピンが前記把持爪に向かう力を付勢する圧縮コイルばねと、を有している請求項１から４のいずれかに記載の間接活線工事用アダプタ。
【発明の詳細な説明】
【技術分野】
【０００１】
本発明は、間接活線工事用アダプタに関する。特に、絶縁操作棒などの間接活線工具の先端部に設けた一対の開閉する把持腕に取り付けたアダプタであって、電柱に設けた腕金に固定されたピン碍子などのボルト部材に締結したナットの脱落を防止するナット脱落防止キャップをボルト部材から取り外す間接活線工事用アダプタの構造に関する。
【背景技術】
【０００２】
高圧配電線を無停電で配電工事を行う活線作業には、直接活線工法と間接活線工法の二通りがある。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
例えば、ピン碍子は、バインド線を用いて、高圧配電線を碍子部に保持している。このピン碍子は、電柱に設けた腕金にボルト部材を挿通している。そして、ボルト部材に下方からナットを締結することで、ピン碍子を腕金に固定している。
【０００５】
上述したピン碍子のボルト部材に締結したナットには、合成樹脂からなるナット脱落防止キャップが設けられている。このナット脱落防止キャップは、絶縁操作棒の先端部に取り付けたナット脱落防止キャップ着脱具により取り外しできることが知られている。又、ピン碍子のボルト部材に締結したナットは、絶縁操作棒の先端部に取り付けたナット回し器により取り外しできることが知られている（例えば、特許文献１参照）。
【先行技術文献】
【特許文献】
【０００６】
【特許文献１】特開２０００−２４５０２４号公報（段落［００１５］、図４）
【発明の概要】
【発明が解決しようとする課題】
【０００７】
特許文献１は、絶縁操作棒の先端部に取り付けたナット脱落防止キャップ着脱具により、ナット脱落防止キャップを取り外しできると記載しているが、ナット脱落防止キャップ着脱具の具体的構造は何ら開示されていない。
【０００８】
実態として、ナット脱落防止キャップをボルト部材から取り外す場合には、一対の開閉する把持腕を先端部に有する絶縁操作棒（いわゆる、絶縁ヤットコ）を用いて、ナット脱落防止キャップを外周方向から一対の開閉する把持腕で挟み、下方に引き下げることで、ナット脱落防止キャップを取り外していた。又、カマ型ナイフを先端部に有する絶縁操作棒を用いて、ナット脱落防止キャップをカマ型ナイフで切断し、ナット脱落防止キャップを撤去していた。
【０００９】
しかしながら、一対の開閉する把持腕を先端部に有する絶縁操作棒を用いて、ナット脱落防止キャップを挟む場合は、ナット脱落防止キャップが円筒状のため、ナット脱落防止キャップを確実に把持することが困難であるという問題がある。
【００１０】
又、ナット脱落防止キャップをカマ型ナイフで切断する場合には、ナットが邪魔になり、ナット脱落防止キャップを容易に切断できないという問題がある。更に、この場合は、ナット脱落防止キャップを再利用できないという問題もある。ピン碍子などに設けたボルト部材に取り付けたナット脱落防止キャップを確実にかつ容易に取り外しできる間接活線工事用アダプタが求められている。そして、以上のことが本発明の課題といってよい。
【００１１】
本発明は、このような課題に鑑みてなされたものであり、絶縁操作棒などの間接活線工具の先端部に設けた一対の開閉する把持腕に取り付けでき、ピン碍子などに設けたボルト部材に取り付けたナット脱落防止キャップを確実にかつ容易に取り外しできる間接活線工事用アダプタを提供することを目的とする。
【課題を解決するための手段】
【００１２】
本発明者は、一組の間接活線工事用アダプタを絶縁操作棒の先端部に設けた一対の湾曲した把持腕の把持爪に取り付け、これらの間接活線工事用アダプタは、把持腕から遠心方向に突出する把持爪と略平行に延びるブロック状のアダプタ本体を備え、これらのアダプタ本体の先端部には、互いに対向し、ボルト部材を逃げる半円弧状の逃げ部を先端縁に形成すると共に、ナットとナット脱落防止キャップの間に差し込み可能な爪片を配置し、一対の湾曲した把持腕を閉じた状態で、一対の爪片でナット脱落防止キャップを引き下げることにより、ナット脱落防止キャップをボルト部材から確実にかつ容易に取り外しできることを見出し、これに基づいて、以下のような新たな間接活線工事用アダプタを発明するに至った。
【００１３】
（１）本発明による間接活線工事用アダプタは、絶縁操作棒の先端部に設けた一対の開閉する湾曲した把持腕に取り付け、下方に延びるボルト部材に締結したナットの脱落を防止するナット脱落防止キャップを前記ボルト部材から取り外し可能な、一組で構成される間接活線工事用アダプタであって、前記把持腕から遠心方向に突出する把持爪が挿入可能な凹部を底面に開口したブロック状のアダプタ本体と、このアダプタ本体に取り付け、前記把持爪の把持面と反対面から当該把持爪を固定する係止手段と、前記アダプタ本体の内部に一片を保持し、前記アダプタ本体の先端部で互いに対向し、前記ナットと前記ナット脱落防止キャップの間に差し込み可能な爪片を他片に有するＬ字状の差込金具と、を備え、前記アダプタ本体は、互いに対向して略密着可能に近接する対向面と、この対向面に形成し、一対の前記把持腕を閉じた状態で、前記ナット脱落防止キャップが落下可能な半円弧状の第１切り欠き溝と、を有し、前記爪片は、一対の前記把持腕を閉じた状態で、前記ボルト部材を逃げる半円弧状の第１逃げ部を先端縁に有している。
【００１４】
（２）前記アダプタ本体は、一対の前記把持腕を閉じた状態で、前記ナット脱落防止キャップを収容可能に底面が閉じた半円弧状の第２切り欠き溝を前記対向面に有していることが好ましい。
【００１５】
（３）前記アダプタ本体は、前記ナットと前記ナット脱落防止キャップの間に前記爪片を差し込む力を付勢する付勢部材を内部に備えていることが好ましい。
【００１６】
（４）前記対向面を除き、前記アダプタ本体の先端部側を覆う絶縁性のキャップ部材を更に備え、このキャップ部材は、一対の前記把持腕を閉じた状態で、前記ナットを逃げる半円弧状の第２逃げ部を上面壁に有していてもよい。
【００１７】
（５）前記係止手段は、先端部が前記凹部から突出できると共に、前記把持爪の把持面と反対面から当該把持爪に当接する係合ピンと、前記アダプタ本体の内部に保持され、前記係合ピンが前記把持爪に向かう力を付勢する圧縮コイルばねと、を有していてもよい。
【発明の効果】
【００１８】
本発明による間接活線工事用アダプタは、アダプタ本体の先端部で互いに対向し、ナットとナット脱落防止キャップの間に差し込み可能な爪片を備えているので、一対の把持腕を閉じると、ナットとナット脱落防止キャップの間に一対の爪片を差し込むことができ、一対の把持腕を閉じた状態で、絶縁操作棒を引き下げることにより、ナット脱落防止キャップをボルト部材から確実にかつ容易に取り外しできる。
【図面の簡単な説明】
【００１９】
【図１】本発明の一実施形態による間接活線工事用アダプタの構成を示す縦面図であり、一対の把持腕に一組の間接活線工事用アダプタを取り付けた状態で、一対の把持腕を閉じた状態図である。
【図２】前記実施形態による間接活線工事用アダプタの構成を示す斜視図であり、一方の間接活線工事用アダプタを重複して斜視分解組立図で示している。
【図３】前記実施形態による間接活線工事用アダプタの構成を示す図であり、図３（Ａ）は、一対の把持腕を閉じた状態における一組の間接活線工事用アダプタの平面図であり、図３（Ｂ）は、一対の把持腕を閉じた状態における一組の間接活線工事用アダプタの正面図である。
【図４】図３（Ｂ）のＡ−Ａ矢視断面図である。
【図５】前記実施形態による間接活線工事用アダプタの構成を示す図であり、図５（Ａ）は、一方の間接活線工事用アダプタを底面側から観た斜視図、図５（Ｂ）は、一方の間接活線工事用アダプタの要部縦断面図、図５（Ｃ）は、一方の間接活線工事用アダプタの要部横断面図である。
【図６】本発明に係る絶縁操作棒の一例を示す正面図であり、図６（Ａ）は、絶縁操作棒の基端部側を示し、図６（Ｂ）は、絶縁操作棒の先端部側を示している。
【図７】図６に示した絶縁操作棒の先端部を拡大した正面図である。
【図８】前記実施形態による間接活線工事用アダプタの構成を示す正面図であり、一対の把持腕に一組の間接活線工事用アダプタを取り付けた状態で、一対の把持腕を所定角度に開いた状態図である。
【発明を実施するための形態】
【００２０】
以下、図面を参照して本発明を実施するための形態を説明する。
［間接活線工事用アダプタの構成］
最初に、本発明の一実施形態による間接活線工事用アダプタの構成を説明する。
【００２１】
図１は、本発明の一実施形態による間接活線工事用アダプタの構成を示す縦面図であり、一対の把持腕に一組の間接活線工事用アダプタを取り付けた状態で、一対の把持腕を閉じた状態図である。図２は、前記実施形態による間接活線工事用アダプタの構成を示す斜視図であり、一方の間接活線工事用アダプタを重複して斜視分解組立図で示している。
【００２２】
図３は、前記実施形態による間接活線工事用アダプタの構成を示す図であり、図３（Ａ）は、一対の把持腕を閉じた状態における一組の間接活線工事用アダプタの平面図であり、図３（Ｂ）は、一対の把持腕を閉じた状態における一組の間接活線工事用アダプタの正面図である。図４は、図３（Ｂ）のＡ−Ａ矢視断面図である。
【００２３】
図５は、前記実施形態による間接活線工事用アダプタの構成を示す図であり、図５（Ａ）は、一方の間接活線工事用アダプタを底面側から観た斜視図、図５（Ｂ）は、一方の間接活線工事用アダプタの要部縦断面図、図５（Ｃ）は、一方の間接活線工事用アダプタの要部横断面図である。
【００２４】
（全体構成）
図１から図５を参照すると、本発明の一実施形態による間接活線工事用アダプタ（以下、アダプタと略称する）１０は、ブロック状のアダプタ本体１、係止手段２、及びＬ字状の差込金具３を備えている。又、アダプタ１０は、板ばねからなる付勢部材４と絶縁性のキャップ部材５を備えている。
【００２５】
図１を参照して、一組のアダプタ１０・１０を絶縁操作棒７０の先端部に設けた一対の開閉する湾曲した把持腕７ａ・７ｂに取り付け、絶縁操作棒７０を操作することで、腕金９ａの下方に延びるボルト部材９ｂに締結したナット９ｎの脱落を防止するナット脱落防止キャップ９ｃをボルト部材９ｂから取り外すことができる。
【００２６】
（アダプタ本体の構成）
図１から図４を参照すると、アダプタ本体１は、絶縁操作棒７０の先端部に設けた一対の開閉する湾曲した把持腕７ａ・７ｂに取り付けことができる（図７参照）。又、アダプタ本体１は、一対の把持腕７ａ・７ｂを閉じた状態で、互いに対向して略密着可能に近接する対向面１０ａ・１０ａを有している。
【００２７】
図５を参照すると、アダプタ本体１は、凹部１１ｈを底面に開口している。凹部１１ｈには、一対の把持腕７ａ・７ｂから遠心方向に突出する把持爪７１ａ又は把持爪７１ｂを挿入できる（図１参照）。
【００２８】
図１又は図２を参照すると、アダプタ本体１は、先端面に開口した凹部１２ｈを穿設している。凹部１２ｈには、差込金具３の一片３１が保持されている。又、凹部１２ｈには、差込金具３の一片３１を付勢する付勢部材４を収容している。
【００２９】
図１又は図２を参照すると、アダプタ本体１は、半円弧状の第１切り欠き溝１０ｂを対向面１０ａに形成している。一対の把持腕７ａ・７ｂを閉じた状態では、一対の第１切り欠き溝１０ｂ・１０ｂの内部にナット脱落防止キャップ９ｃを落下できる。
【００３０】
図１又は図２を参照すると、アダプタ本体１は、第１切り欠き溝１０ｂに連通した第２切り欠き溝１０ｃを対向面１０ａに形成している。一対の把持腕７ａ・７ｂを閉じた状態では、一対の第２切り欠き溝１０ｃ・１０ｃの底面を閉じて、ナット脱落防止キャップ９ｃの胴部９２ｃを収容できる。
【００３１】
（係止手段の構成）
図５を参照すると、係止手段２は、係合ピン２１と圧縮コイルばね２２を備えている。係合ピン２１は、軸部２１ｓと鍔部２１ｆで構成している。軸部２１ｓは、アダプタ本体１の外壁から突出した円筒部２ｐの内部に収容されている。軸部２１ｓは、その先端部が凹部１１ｈの内部に突出している（図５（Ｂ）参照）。鍔部２１ｆは、円筒部２ｐの上端縁に当接している。
【００３２】
図５（Ｂ）を参照すると、圧縮コイルばね２２は、軸部２１ｓの外周を巻回している。又、圧縮コイルばね２２は、円筒部２ｐの内部に収容されている。圧縮コイルばね２２の一端部は、軸部２１ｓに固定されている。圧縮コイルばね２２の他端部は、円筒部２ｐの内壁に固定されている。そして、圧縮コイルばね２２は、軸部２１ｓの先端部が凹部１１ｈの内部に突出する力を付勢している。
【００３３】
図５（Ａ）又は図５（Ｂ）を参照して、鍔部２１ｆを把持して、圧縮コイルばね２２の弾性力に抗して、係合ピン２１を引き上げると、把持爪７１ａ又は把持爪７１ｂを凹部１１ｈに収容できる（図１参照）。そして、鍔部２１ｆを解放すると、把持爪７１ａ又は把持爪７１ｂの把持面と反対面から把持爪７１ａ又は把持爪７１ｂに係合ピン２１の先端部を当接できる。把持爪７１ａ又は把持爪７１ｂには、係合ピン２１の先端部が進入する窪み７ｄを設けることが好ましい（図１参照）。
【００３４】
図５（Ｂ）又は図５（Ｃ）を参照すると、軸部２１ｓは、遠心方向に係止ピン２１ｐを突出している。一方、円筒部２ｐの内部には、係止ピン２１ｐを軸部２１ｓの軸方向に案内するスリット状の溝２１ｍを設けている。
【００３５】
図５（Ｂ）又は図５（Ｃ）を参照して、鍔部２１ｆを把持して、係合ピン２１を引き上げると、係止ピン２１ｐを円筒部２ｐの上端縁を超える高さに移動できる。そして、係合ピン２１を外周方向に回動すると、係止ピン２１ｐを円筒部２ｐの上端縁に当接できる。これにより、係合ピン２１を引き上げた状態を維持でき、把持爪７１ａ又は把持爪７１ｂを凹部１１ｈに収容した後に、係合ピン２１を逆方向に回動することで、アダプタ本体１を把持爪７１ａ又は把持爪７１ｂに固定できる。
【００３６】
（差込金具の構成）
図１又は図２及び図４を参照すると、差込金具３は、帯状の金属板を略直角に折り曲げてＬ字状に形成している。差込金具３の一片３１は、凹部１２ｈに収容されている。又、差込金具３の一片３１は、付勢部材４に付勢されて凹部１２ｈに保持されている。
【００３７】
図２を参照すると、差込金具３の他片は、先端縁を鋭角に形成した爪片３２を有している。図１を参照すると、一対の爪片３２・３２は、アダプタ本体１の先端部で互いに対向するように配置されている。そして、一対の把持腕７ａ・７ｂを閉じると、ナット９ｎとナット脱落防止キャップ９ｃの間に、一対の爪片３２・３２を差し込むことができる（図１参照）。なお、爪片３２は、一対の把持腕７ａ・７ｂを閉じた状態で、ボルト部材９ｂを逃げる半円弧状の第１逃げ部３２１を先端縁に形成している（図２参照）。
【００３８】
（付勢部材の構成）
図１又は図２及び図４を参照すると、付勢部材４は、両端部が凹部１２ｈの内壁に当接し、中央部が差込金具３の一片３１に当接する板ばねで構成している。付勢部材４は、凹部１２ｈに収容されている。付勢部材４は、ナット９ｎとナット脱落防止キャップ９ｃの間に爪片３２を差し込む力を付勢している（図１参照）。
【００３９】
（キャップ部材の構成）
図１から図４を参照すると、キャップ部材５は、絶縁性を有する合成樹脂からなり、底面と一方の側面が開放された箱状に形成している。キャップ部材５は、対向面１０ａを除き、アダプタ本体１の先端部側を覆っている。又、キャップ部材５は、一対の把持腕７ａ・７ｂを閉じた状態で、ナット９ｎを逃げる半円弧状の第２逃げ部５１を上面壁に形成している（図２又は図３（Ａ）参照）。
【００４０】
図２を参照すると、キャップ部材５は、その内壁から突出し、対向配置された一対のランス５ｒ・５ｒを有している。一方、アダプタ本体１は、相反する向きに開口する一対の係止穴１ｈ・１ｈを先端部側の両側面に形成している。キャップ部材５をアダプタ本体１の先端部側から押し込むと、ランス５ｒを係止穴１ｈに係止でき、キャップ部材５をアダプタ本体１の先端部に固定できる。
【００４１】
図１から図４を参照して、アダプタ本体１の先端部をキャップ部材５で覆うことで、絶縁操作棒７０を操作したときに、充電部との短絡を抑制できる。又、キャップ部材５は、差込金具３の脱落を防止している（図１参照）。
【００４２】
（絶縁操作棒の構成）
次に、本発明に係る絶縁操作棒の構成を説明する。図６は、本発明に係る絶縁操作棒の一例を示す正面図であり、図６（Ａ）は、絶縁操作棒の基端部側を示し、図６（Ｂ）は、絶縁操作棒の先端部側を示している。図７は、図６に示した絶縁操作棒の先端部を拡大した正面図である。
【００４３】
図６又は図７を参照すると、間接活線工具となる絶縁操作棒（いわゆる、絶縁ヤットコ）７０は、長尺の操作棒７１と把持工具７２で構成している。把持工具７２は、操作棒７１の先端部に着脱自在に取り付けられている。又、絶縁操作棒７０は、作動棒７３を備えている。絶縁操作棒７０は、操作棒７１及び作動棒７３の中間部が絶縁性を有するプラスチックパイプなどで連結され、間接活線工法に好適なように、絶縁性が確保されている。
【００４４】
図６又は図７を参照すると、把持工具７２は、開閉する一対の湾曲した把持腕７ａ・７ｂで構成している。そして、一方の把持腕７ａは、基端部が固定された固定腕であり、他方の把持腕７ｂは、一方の把持腕７ａの基端部に設けた回動軸７ｃを中心に回動する可動腕となっている。
【００４５】
図６又は図７を参照すると、作動棒７３は、操作棒７１に沿って保持されている。作動棒７３の先端部は、他方の把持腕７ｂに回動可能に連結している。そして、作動棒７３の手許部に設けた操作レバー７４を操作すると、一方の把持腕７ａに対して、他方の把持腕７ｂを開閉できる。
【００４６】
図７を参照して、操作レバー７４を握って、操作レバー７４を操作棒７１に近づけると、一方の把持腕７ａに対して、他方の把持腕７ｂを閉じることができる。操作レバー７４を解放すると、操作レバー７４に連結したばね（図示せず）の力で、一方の把持腕７ａに対して、他方の把持腕７ｂを開くことができる。図７は、一方の把持腕７ａに対して、他方の把持腕７ｂが最大に開いた状態を示している。
【００４７】
図７を参照して、一方の把持腕７ａは、先細り状の把持爪７１ａを突出している。把持爪７１ａは、把持面７０ａを形成している。把持面７０ａは、操作棒７１の軸中心Ｑと略平行に配置されている。同様に、他方の把持腕７ｂは、先細り状の把持爪７１ｂを突出している。把持爪７１ｂは、把持面７０ｂを形成している。把持面７０ｂは、把持面７０ａと所定の開角を設けて配置されている。図６又は図７を参照して、操作レバー７４を握ると、把持面７０ｂを把持面７０ａに近づけることができる。
【００４８】
［間接活線工事用アダプタの作用］
次に、実施形態によるアダプタ１０の操作方法を説明しながら、アダプタ１０の作用及び効果を説明する。図８は、前記実施形態による間接活線工事用アダプタの構成を示す正面図であり、一対の把持腕に一組の間接活線工事用アダプタを取り付けた状態で、一対の把持腕を所定角度に開いた状態図である。
【００４９】
図１から図５を参照すると、アダプタ１０は、把持爪７１ａ又は把持爪７１ｂを凹部１１ｈに挿入し（図５参照）、係合ピン２１で固定できる。一組のアダプタ１０・１０は、対向する一対の対向面１０ａ・１０ａの間にナット脱落防止キャップ９ｃを配置できる。アダプタ本体１の先端部に爪片３２を配置しておくことで、ナット９ｎとナット脱落防止キャップ９ｃの鍔部９１ｃの間に、爪片３２を差し込むことができる（図１参照）。
【００５０】
図８に示した状態から、絶縁操作棒７０を持ち上げ、操作レバー７４を握って、操作レバー７４を操作棒７１に近づけると（図６参照）、一方のアダプタ１０に対して、他方のアダプタ１０を閉じることができる（図１参照）。図１に示した状態では、ナット９ｎとナット脱落防止キャップ９ｃの鍔部９１ｃの間に、一対の爪片３２・３２を差し込むことができる（図１参照）。そして、ナット９ｎに対して、ナット脱落防止キャップ９ｃを爪片３２の板厚分だけ移動できる。
【００５１】
次に、図１又は図３を参照して、一対のアダプタ１０・１０が閉じた状態を維持しながら、絶縁操作棒７０を引き下げると、ナット脱落防止キャップ９ｃをボルト部材９ｂから取り外しできる。図１又は図２を参照して、絶縁操作棒７０を引き下げる過程では、一対の第１切り欠き溝１０ｂ・１０ｂの内部にナット脱落防止キャップ９ｃを落下でき、一対の第２切り欠き溝１０ｃ・１０ｃの底面を閉じて、ナット脱落防止キャップ９ｃを収容できる。
【００５２】
このように、実施形態によるアダプタ１０は、アダプタ本体１の先端部で互いに対向し、ナット９ｎとナット脱落防止キャップ９ｃの間に差し込み可能な爪片３２を備えているので、一対の把持腕７ａ・７ｂを閉じると、ナット９ｎとナット脱落防止キャップ９ｃの間に一対の爪片３２・３２を差し込むことができ、一対の把持腕７ａ・７ｂを閉じた状態で、絶縁操作棒７０を引き下げることにより、ナット脱落防止キャップ９ｃをボルト部材９ｂから確実にかつ容易に取り外しできる。
【００５３】
又、実施形態によるアダプタ１０は、一対のアダプタ本体１・１の間にナット脱落防止キャップ９ｃを収容でき、ナット脱落防止キャップ９ｃの不用意な落下を防止することもできる。
【００５４】
本発明による間接活線工事用アダプタは、次のような効果が奏される。
（１）既存の絶縁操作棒（いわゆる、絶縁ヤットコ）を利用して、ナット脱落防止キャップを簡単に取り外すことができる。
（２）カマ型ナイフを使用しないので、安全であり、ナット脱落防止キャップを確実に取り外すことができる。
（３）ナット脱落防止キャップを再利用できる。
（４）ナット脱落防止キャップの不用意な落下を防止できる。
【００５５】
本発明は、絶縁操作棒などを用いて、無停電状態の高圧配電線を間接的に活線工事できる間接活線工事用アダプタを開示したが、本発明のアダプタは、間接活線工事用に限定されることなく、他の分野でも応用されることが期待される。
【符号の説明】
【００５６】
１  アダプタ本体
２  係止手段
３  差込金具
７ａ・７ｂ  一対の把持腕
９ｂ  ボルト部材
９ｃ  ナット脱落防止キャップ
９ｎ  ナット
１０  アダプタ（間接活線工事用アダプタ）
１０ａ  対向面
１０ｂ  第１切り欠き溝
１１ｈ  凹部（アダプタ本体の凹部）
７０  絶縁操作棒
７１ａ  把持爪
７１ｂ  把持爪
３２１  第１逃げ部
【図１】
2015012646.tif 000003
【図２】
2015012646.tif 000004
【図３】
2015012646.tif 000005
【図４】
2015012646.tif 000006
【図５】
2015012646.tif 000007
【図６】
2015012646.tif 000008
【図７】
2015012646.tif 000009
【図８】
2015012646.tif 000010